(57)【特許請求の範囲】
【請求項１】
帽子枠（１）に帽子（Ｗ）を取り付けるときに、帽子枠（１）及び帽子（Ｗ）のキャップ部（Ｃ）の内側に挿入されて該キャップ部（Ｃ）の内側から帽子（Ｗ）の縫製加工範囲（Ａ）を支持する帽子枠支持装置の縫製加工範囲支持部（２１）と共に用いられる、帽子枠（１）とは別の縫製加工範囲展張具（２５）であって、
縫製加工範囲展張具（２５）は、弾性材製の枠体又は板体が前記縫製加工範囲支持部（２１）を抱持可能に湾曲形成された抱持部（２６）を備え、
ア：縫製加工範囲（Ａ）を展張した状態で、縫製加工範囲（Ａ）の外周に取り付けられて縫製加工範囲支持部（２１）との間で縫製加工範囲（Ａ）を挟持するように構成されるとともに、
イ：縫製加工範囲（Ａ）が展張された状態で帽子枠（１）に帽子（Ｗ）が縫製加工範囲展張具（２５）とは別の保持部材（１２）により保持されるときに、縫製加工範囲（Ａ）の外周から取り外すものであり、
前記抱持部（２６）はキャップ部（Ｃ）に縫製加工範囲（Ａ）を展張しながら装着されて行く一対の先端部（２６ａ）を備えたことを特徴とする帽子の縫製加工範囲展張具。
【請求項２】
前記縫製加工範囲展張具（２５）は、前記抱持部（２６）に設けられた取っ手部（２７）を備えた請求項１記載の縫製加工範囲展張具。
【発明の詳細な説明】
【０００１】
【発明の属する技術分野】
本発明は、帽子の縫製加工範囲を展張するための展張具に関するものである。
【０００２】
【従来の技術】
この種の展張具は、従来には無いので、その背景を説明する。
図６に示すように、帽子Ｗは、頭に被せるキャップ部Ｃと、日差しを防ぐひさし部Ｐとを備え、キャップ部Ｃの開口部の内縁部にはリング状の汗止め部Ｂが縫い付けられている。キャップ部Ｃは、円筒形に近い周面部Ｃａと、球形又は円錐形に近い頂面部Ｃｂとからなり、キャップ部Ｃへの縫製加工範囲Ａは、周面部Ｃａのみならず、頂面部Ｃｂの一部にかかることが多い。
【０００３】
この帽子Ｗは、一般に、一旦帽子枠支持装置によって帽子枠に取り付けられてから、該帽子枠ごとミシンに取り付けられる。帽子枠支持装置は、ミシンに取り付けたときに縫製加工範囲Ａが展張した状態となるように帽子Ｗを帽子枠に取り付けるためのものである。
【０００４】
図８に示すように、従来の一般的な帽子枠支持装置５８は、後述する帽子枠５０と帽子Ｗの縫製加工範囲Ａとを支持する湾曲板状の支持部材６０（縫製加工範囲支持部）を備えている。支持部材６０の上側には帽子枠５０を位置決めするための係合部材６１と、帽子枠５０を着脱自在に保持する係合ローラ６２とが設けられている。帽子枠５０は受け枠５１の中心軸が水平方向に向くとともに、ポール５４が下側に位置した状態で装着されるようになっている。
【０００５】
従来のミシンの帽子枠としては、例えば、特開平９−７８４３７号公報に次のものが開示されている。図７及び図８に示すように、この帽子枠５０は、筒状に形成された受け枠５１とバンド形状の押え体５２とを備えている。受け枠５１の長さ方向の略中間にはフランジ部５３が設けられ、該フランジ部５３には一対のポール５４が立設されている。一方のポール５４には押え体５２が回動自在に支持されている。押え体５２の自由端側には締め付け機構付き止め具５６が設けられており、他方のポール５４に設けられた掛け具５７に引っ掛け、締め付けて固定するようになっている。帽子Ｗは、その縫製加工範囲Ａである前側が反ポール側に配されて帽子枠５０に取り付けられる。
【０００６】
さて、帽子枠支持装置５８により帽子枠５０に帽子Ｗを取り付けるには、まず、該装置５８の支持部材６０に受け枠５１を取り付ける。次いで、帽子Ｗの汗止め部Ｂをキャップ部Ｃから引き出し、ひさし部Ｐを受け枠５１の反ポール側に向けた状態で帽子Ｗを受け枠５１及びポール５４に被せる。そして、汗止め部Ｂを受け枠５１に沿わせ、その上から押え体５２を巻き付け、押え体５２の止め具５６を掛け具５７に止めて帽子Ｗを保持させる。この状態で、キャップ部Ｃの後部を一方の手で下方に引いて、縫製加工範囲Ａの弛みを該範囲外であるキャップ部Ｃの後側Ｃｃに寄せ、該範囲を展張させる。そして、もう一方の手でキャップ部Ｃの上から２本のポール５４にクリップ５９（例えば文房具として市販されているダブルクリップ等）をそれぞれ取り付けると、縫製加工範囲Ａが展張された状態で帽子Ｗが保持される。
【０００７】
【発明が解決しようとする課題】
ところが、帽子Ｗを取り付けるときに、一方の手で縫製加工範囲Ａを展張しながら、もう一方の手でクリップ５９を取り付けるという、２つの作業を同時に行わなければならないため、作業性が悪く、縫製加工範囲Ａの展張が不十分になり易かった。この展張が不十分だと縫製加工の仕上がりが低下してしまうため、展張し直さなければならず、作業に手間と時間がかかってしまう。
【０００８】
本発明の目的は、上記課題を解決し、帽子の縫製加工範囲を容易に展張することができる縫製加工範囲展張具を提供することにある。
【０００９】
【課題を解決するための手段】
上記目的を達成するために、本発明の帽子の縫製加工範囲展張具は、帽子枠に帽子を取り付けるときに、帽子枠及び帽子のキャップ部の内側に挿入されて該キャップ部の内側から帽子の縫製加工範囲を支持する帽子枠支持装置の縫製加工範囲支持部と共に用いられる、帽子枠とは別の縫製加工範囲展張具であって、縫製加工範囲展張具は、弾性材製の枠体又は板体が縫製加工範囲支持部を抱持可能に湾曲形成された抱持部を備え、縫製加工範囲を展張した状態で、縫製加工範囲の外周に取り付けられて縫製加工範囲支持部との間で縫製加工範囲を挟持するように構成されるとともに、縫製加工範囲が展張された状態で帽子枠に帽子が縫製加工範囲展張具とは別の保持部材により保持されるときに、縫製加工範囲の外周から取り外すものであり、抱持部はキャップ部に縫製加工範囲を展張しながら装着されて行く一対の先端部を備えていることを特徴とする。
【００１０】
前記縫製加工範囲展張具としては、特に限定されないが、抱持部に設けられた取っ手部を備えていることが好ましい。
【００１１】
上記ミシン又は帽子枠支持装置の縫製加工範囲支持部とは、帽子のキャップ部の内側に挿入されて、帽子の前記縫製加工範囲を支持する部位をいう。
【００１２】
【発明の実施の形態】
図１〜図５は本発明を実施した形態例の帽子の縫製加工範囲展張具２５と、それと共に使用する帽子枠支持装置２０及び帽子枠１を示している。展張具２５は、帽子Ｗの縫製加工範囲Ａを展張した状態で、該範囲Ａの外周に取り付けられて後述する帽子枠支持装置２０の縫製加工範囲支持部２１との間で該範囲Ａを挟持するものである。
【００１３】
縫製加工範囲展張具２５は、図１に示すように、抱持部２６と、該抱持部２６に設けられた取っ手部２７とを備えている。抱持部２６は、弾性金属製の長方形状の枠体が縫製加工範囲支持部２１の外周壁を抱持可能に湾曲形成されたものである。
【００１４】
帽子枠支持装置２０は、テーブル３０に固定され垂直板部を有するベース部２４と、該ベース部２４から水平方向に突設された湾曲板状の縫製加工範囲支持部２１を備えている。
【００１５】
縫製加工範囲支持部２１は、後述する帽子枠１を支持するとともに、帽子Ｗの内側から帽子Ｗの縫製加工範囲Ａを支持するもので、その外周壁には帽子枠１を位置決めするための係合部材２２と、帽子枠１を着脱自在に保持するための複数の係合ローラ２３とが配設されている。
【００１６】
次に、帽子枠１について説明すると、該帽子枠１は、図２に示すように帽子Ｗの内側に挿入される受け枠２と、帽子Ｗに外側から巻き付けられて受け枠２との間で帽子Ｗを挟持し、帽子Ｗがずれないように押える押え体３と、同じく帽子Ｗに外側から取り付けられて受け枠２との間で帽子Ｗを挟持し、帽子Ｗの縫製加工範囲Ａの弛みを該範囲外に寄せた状態で保持する保持部材としての保持クリップ１２とを備えている。
【００１７】
受け枠２は、筒体６と、筒体６の長さ方向の略中間に設けられたフランジ部７とを備えている。筒体６の一端開口側には、位置決め用に省かれた欠部８が端縁に設けられるとともに、抜け止め用の孔（図示略）が周壁に設けられている。
【００１８】
筒体６の他端開口側には、縫製加工範囲外である帽子Ｗの後側がくる位置の端縁から支持板部６ａが延設されており、該支持板部６ａの外周壁には、筒体６の長さ方向に延設された一対の嵌合片１１が固定されている。該一対の嵌合片１１は、互いに受け枠２の周方向の相反する側が支持板部６ａの外周壁から離間されており、一対の溝１３を支持板部６ａの外周壁とともに形成している。
【００１９】
保持クリップ１２は、図２に示すように弾性金属製の棒体を折曲形成したもので、取っ手部１２ａと、一対の溝１３にそれぞれ嵌合する一対の嵌合部１２ｂと、嵌合部１２ｂを溝１３に案内するための一対の案内部１２ｃとを備えている。保持クリップ１２は、図２に示すように案内部１２ｃ側から溝１３に差し込まれて挿着されるようになっている。
【００２０】
押え体３は弾性材を用いてバンド状に形成されたもので、軸１６によって回動自在に軸支された開閉プレート１７を介して帽子Ｗを挿入する側が受け枠２の外周壁から開閉するようになっている。押え体３の自由端側には締め付け機構付き止め具１９が設けられており、開閉プレート１７の引掛部１７ａに止めるようになっている。
【００２１】
次に、以上のように構成された縫製加工範囲展張具２５の使用方法について説明する。
（１）図３〜図５に示すように、縫製加工範囲支持部２１の係合部材２２及び係合ローラ２３に、それぞれ帽子枠１の受け枠２の欠部８及び抜け止め用の孔（図示略）を係合させて、帽子枠支持装置２０に帽子枠１を装着する。このとき、帽子枠１は受け枠２の中心軸が水平方向に向くとともに、開閉プレート１７が下側に位置した状態になる。押え体３は止め具１９を引掛部１７ａから外して展開しておき、開閉プレート１７は帽子Ｗが取り付けやすいように受け枠２の外周壁から開いておく。
【００２２】
（２）帽子Ｗの汗止め部Ｂをキャップ部Ｃから引き出し、図３に示すように、帽子Ｗのひさし部Ｐを上側に向けて汗止め部Ｂを受け枠２に被せる。
【００２３】
（３）図３に示すように、開閉プレート１７を閉じ、押え体３を汗止め部Ｂ及びキャップ部Ｃの上から巻き付ける。そして、止め具１９を引掛部１７ａに止めて、帽子Ｗを保持する。
【００２４】
（４）縫製加工範囲外であるキャップ部Ｃの後側Ｃｃを一方の手で軽く下方に引いてキャップ部Ｃ前側の縫製加工範囲Ａの弛みを軽く取っておく。
【００２５】
（５）図４に示すようにキャップ部Ｃの前方（同図における上方）から縫製加工範囲Ａである該キャップ部Ｃの前側に縫製加工範囲展張具２５を装着する。このとき、抱持部２６の先端部２６ａはキャップ部Ｃの縫製加工範囲Ａを展張しながら装着されて行くため、最終的に、縫製加工範囲展張具２５の抱持部２６が縫製加工範囲Ａを展張した状態で該範囲Ａの外周に取り付けられて、帽子枠支持装置の縫製加工範囲支持部２１との間で該範囲Ａを挟持するようになる。なお、必要に応じて、縫製加工範囲Ａに残った弛みを手で展ばして該範囲外によせ、該範囲をさらに展張することもできる。このとき、縫製加工範囲Ａの外周が縫製加工範囲展張具２５の抱持部２６で押えられているので、弛みを該範囲外に容易に寄せることができる。
【００２６】
（６）保持クリップ１２をキャップ部Ｃの上から溝１３に挿着し、縫製加工範囲展張具２５を取り外すと、図５に示すようにキャップ部Ｃへの縫製加工範囲Ａが展張された状態で帽子Ｗが帽子枠１に保持される。
【００２７】
以上において、縫製加工範囲展張具２５により、帽子枠支持装置２０の縫製加工範囲支持部２１との間で縫製加工範囲Ａを展張した状態で挟持する場合を例にとって説明したが、該展張具２５は、ミシンの縫製加工範囲支持部との間で縫製加工範囲Ａを展張した状態で挟持する場合にも使用することができるものである。
【００２８】
このように構成された帽子の縫製加工範囲展張具２５によれば、まず、該展張具２５を用いて縫製加工範囲Ａを展張してから、保持部材としての保持クリップ１２を取り付けることができる。従って、従来と異なり、縫製加工範囲Ａを展張する作業と、保持部材を取り付ける作業とを同時に行う必要がないため、作業を容易かつ確実に行うことができる。
【００２９】
なお、本発明は前記実施形態の構成に限定されず、例えば以下のように、発明の趣旨から逸脱しない範囲で適宜変更して具体化することもできる。
（１）縫製加工範囲展張具２５の抱持部２６を帽子枠支持装置２０の縫製加工範囲支持部２１（又はミシンの縫製加工範囲支持部）を抱持可能に湾曲形成された湾曲板にすること。この湾曲板には適宜穴を設けたり、帽子Ｗの生地に食い込む凸部や凹部を設けることができる。
（２）縫製加工範囲展張具２５の取っ手部２７を無くしたり、取っ手部２７の態様を適宜変更すること。
【００３０】
【発明の効果】
以上詳述したように、本発明に係る帽子の縫製加工範囲展張具によれば、帽子の縫製加工範囲を容易に展張することができる。
【図面の簡単な説明】
【図１】本発明を具体化した実施形態の帽子の縫製加工範囲展張具の斜視図である。
【図２】同縫製加工範囲展張具により縫製加工範囲を展張した状態で帽子が取り付けられる帽子枠を示す斜視図である。
【図３】同縫製加工範囲展張具の使用方法を説明するための図である。
【図４】同使用方法を説明するための別の図である。
【図５】同使用方法を説明するためのまた別の図である。
【図６】帽子を示す斜視図である。
【図７】従来の帽子枠を示す斜視図である。
【図８】従来の帽子枠に帽子を取り付けた状態を示す側面図である。
【符号の説明】
２０    帽子枠支持装置
２１    縫製加工範囲支持部
２５    縫製加工範囲展張具
２６    抱持部
Ｗ    帽子
Ａ    縫製加工範囲
【図１】
0004105274.tif 000002
【図２】
0004105274.tif 000003
【図３】
0004105274.tif 000004
【図４】
0004105274.tif 000005
【図５】
0004105274.tif 000006
【図６】
0004105274.tif 000007
【図７】
0004105274.tif 000008
【図８】
0004105274.tif 000009